【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
ポリ尿素を含む光学微細構造体を含む光学シート。
【請求項２】
立方体角プリズム、片ガラスの立方体角プリズム、線状プリズム、両凸状レンズ、円筒状レンズ、蛾-眼構造体、フレネルレンズ、フレネルレンズアレイ、小型レンズ、表面起伏拡散体、回折性構造体、光散乱構造体、および魚-眼レンズアレイの少なくとも一つを含む、請求項１記載のシート。
【請求項３】
染料または顔料の少なくとも一つを含む請求項１記載のシート。
【請求項４】
蛍光性着色料を含む請求項１記載のシート。
【請求項５】
蛍光性着色料がキサンテン系蛍光性染料を含む請求項４記載のシート。
【請求項６】
蛍光性着色料がピラニン、アントラキノン、ベンゾピラン、チオキサンテンおよびペリレンイミドからなる群より選択される染料を含む、請求項４記載のシート。
【請求項７】
蛍光性着色料がフルオレセイン、ローダミン、エオシン、フロキシン、ウラニン、スクシネイン、サッカレイン、ローザミン、ロドール、ピラニン、アントラキノン、ベンゾピラン、チオキサンテン、およびペリレンイミドからなる群より選択される染料を含む、請求項４記載のシート。
【請求項８】
着色されている請求項１記載のシート。
【請求項９】
多数の微細構造体がその中に配置されたポリマーを含む請求項１記載のシート。
【請求項１０】
基体に沿って配置される多数の２面逆反射構成部品を含む請求項１記載のシート。
【請求項１１】
前記構成部品がポリ尿素中に分散される請求項１０記載のシート。
【請求項１２】
バックライト付きスクリーンにおける使用のための請求項１記載のシート。
【請求項１３】
ポリ尿素が芳香族ポリ尿素または脂肪族ポリ尿素である請求項１記載のシート。
【請求項１４】
ポリ尿素がイソシアネートプレポリマーおよびアミン樹脂から形成される請求項１記載のシート。
【請求項１５】
ポリ尿素が多官能性ポリオールを含む請求項１４記載のシート。
【請求項１６】
イソシアネートプレポリマーがヘキサメチレンジイソシアネート(ＨＤＩ)を基礎とした低級脂肪族ポリイソシアネート樹脂を含む請求項１４記載のシート。
【請求項１７】
イソシアネートプレポリマーがヘキサメチレンジイソシアネート(ＨＤＩ)を基礎とした低粘性で溶媒非含有性の多官能性脂肪族ポリイソシアネート樹脂を含む請求項１４記載のシート。
【請求項１８】
アミン樹脂が約１００と３００との間のアミン価を有する請求項１４記載のシート。
【請求項１９】
ポリ尿素がさらにポリオールを含む請求項１４記載のシート。
【請求項２０】
ポリオールが分枝状ポリエーテルポリオールを含む請求項１９記載のシート。
【請求項２１】
ポリオールが約２５と４００との間の範囲内の水酸基数を有する請求項１９記載のシート。
【請求項２２】
ポリオールが二官能性である請求項１９記載のシート。
【請求項２３】
一つ以上の光安定剤を含む請求項１記載のシート。
【請求項２４】
ポリ尿素を含むシート上に配置される光学構成部品を含み、該光学構成部品がポリ尿素を含む光学シート。
【請求項２５】
光学構成部品が立方体角プリズム、片ガラスの立方体角プリズム、線状プリズム、両凸状レンズ、蛾-眼構造体、レンズ、フレネルレンズアレイ、小型レンズ、および魚-眼レンズアレイの少なくとも一つを含む請求項２４記載の光学シート。
【請求項２６】
第一面上および第二面上で逆反射性であり、ポリ尿素中に分散される多数の逆反射構成部品。
【請求項２７】
ポリ尿素接合剤中に分散される光学構成部品を含む構造体。
【請求項２８】
光学構成部品が２面逆反射立方体角プリズムを含む請求項２７記載の構造体。
【請求項２９】
立方体角プリズムが片ガラスの立方体角プリズムを含む請求項２８記載の構造体。
【請求項３０】
担体基体を提供する工程；
担体基体上にポリ尿素を沈着させる工程；
ポリ尿素を少なくとも部分的に硬化させてポリ尿素を含むシートを形成する工程；および
担体基体を除去する工程、
を含む、ポリ尿素を含むシートを形成する方法。
【請求項３１】
硬化する前に、ポリ尿素を含むシートがポリ尿素上に第二担体基体を適用する工程をさらに含む請求項３０記載の方法。
【請求項３２】
シートの厚さを制御するためにはさみローラーが使用される請求項３１記載の方法。
【請求項３３】
ａ）三官能性ポリオールと二官能性イソシアネートとを混合することにより第一プレミックスを調製する工程；
ｂ）多官能性イソシアネートと二官能性ポリオールとを混合し、さらに二官能性イソシアネート中で混合することにより第二プレミックスを調製する工程；
ｃ）第一プレミックスと第二プレミックスとを混合して実質的に均質なプレポリマー混合物を得る工程；
ｄ）実質的に均質なプレポリマー混合物とアミンとを混合してポリ尿素を形成する工程；および
ｅ）ポリ尿素から光学微細構造体を形成する工程、
を含む、ポリ尿素を形成する方法。
【請求項３４】
ポリ尿素からシートまたはフィルムを形成する工程をさらに含む請求項３３記載の原料。
【請求項３５】
ａ）三官能性ポリオールと過剰の二官能性イソシアネートとを混合して実質的に全ての水酸基を末端キャップすることにより第一プレミックスを調製する工程；
ｂ）ｉ．多官能性イソシアネートを二官能性ポリオールを用いてキャップする工程；および
ｉｉ．工程ｉの混合物を過剰の二官能性イソシアネートを用いて末端キャップし、実質的に全ての水酸基をイソシアネートに転換する工程；
により、第二プレミックスを調製する工程；
ｃ）第一プレミックスと第二プレミックスとを混合し、実質的に均質なプレポリマー混合物を得る工程；
ｄ）実質的に均質なプレポリマー混合物とアミン樹脂とを混合し、ポリ尿素を形成する工程；ならびに
ｅ）ポリ尿素から光学微細構造体を形成する工程、
を含む、ポリ尿素を形成する方法。
【請求項３６】
ポリ尿素から光学シートを形成する工程をさらに含む請求項３５記載の方法。
【請求項３７】
蛍光性染料をポリ尿素中に混合する工程をさらに含む請求項３５記載の方法。
【請求項３８】
請求項３５記載の方法から形成されたポリ尿素を含む光学シート。
【請求項３９】
アミン樹脂を基体上に分配する工程；
イソシアネートプレポリマーを基体上に分配する工程；
アミン樹脂およびイソシアネートプレポリマーを少なくとも部分的に互いの中に拡散させる工程；ならびに
アミン樹脂およびイソシアネートプレポリマーが少なくとも部分的に反応し、硬化してポリマーシートを形成した後に基体を巻き上げる工程、
を含む、ポリ尿素シートを形成する方法。
【請求項４０】
前記基体が第一基体であり、第二基体を適用して第一基体および第二基体間にポリ尿素シートをはさむ工程をさらに含む、請求項３９記載の方法。
【請求項４１】
基体の少なくともひとつを予熱する工程をさらに含む請求項４０記載の方法。
【請求項４２】
拡散を促進するために基体を振動させる工程をさらに含む請求項３９記載の方法。
【請求項４３】
基体上に染料、顔料または蛍光性着色料の少なくとも一つを分配する工程をさらに含む請求項３９記載の方法。
【請求項４４】
その上にイソシアネートプレポリマーの層を有する第一基体を提供する工程；
その上にアミン樹脂の層を有する第二基体を提供する工程；および
少なくとも部分的にイソシアネートプレポリマーとアミン樹脂とを混合するためにイソシアネートプレポリマーの層をアミン樹脂の層に対してプレスし、ポリ尿素シートを形成する工程、
を含むポリ尿素シートを形成する方法。
【請求項４５】
はさみローラーを用いてイソシアネートプレポリマーの層をアミン樹脂に対してプレスする工程をさらに含む請求項４４記載の方法。
【請求項４６】
ポリ尿素シートを巻き上げる工程をさらに含む請求項４５記載の方法。
【請求項４７】
少なくともイソシアネートプレポリマーまたはアミン樹脂を、その混合を促進するために加熱する工程をさらに含む請求項４４記載の方法。
【請求項４８】
第一面に微細構造表面および第二面に微細構造表面を有し、ポリ尿素を含む光学構造体。
【請求項４９】
各面の微細構造表面が熱可塑性樹脂から形成される請求項４８記載の光学構造体。
【請求項５０】
紫外線硬化型熱硬化性原料を含む請求項４８記載の光学構造体。
【請求項５１】
ポリ尿素から形成される少なくとも一つの微細構造表面を有する光学シート。
【請求項５２】
２成分ポリ尿素層の第一面に接着した１成分ポリ尿素層を含むポリ尿素光学構造体。
【請求項５３】
２成分層の第二面に接着した第二の１成分ポリ尿素層をさらに含む請求項５２記載の構造体。
【請求項５４】
１成分ポリ尿素層の少なくとも一つに接着した微細構造層をさらに含む請求項５２記載の構造体。
【請求項５５】
２成分ポリ尿素層がイソシアネートプレポリマーおよびアミン樹脂を含む請求項５２記載の構造体。
【請求項５６】
２成分ポリ尿素層の第二面に接着した層をさらに含む請求項５２記載の構造体。
【請求項５７】
２成分ポリ尿素層の第二面に接着した層に接着した１成分ポリ尿素層をさらに含む請求項５６記載の構造体。
【請求項５８】
担体基体上に１成分ポリ尿素層を提供する工程；
１成分ポリ尿素層上に２成分ポリ尿素層を提供する工程、該２成分ポリ尿素層は２成分ポリ尿素層の第一面に沿って１成分ポリ尿素と接触している；
２成分ポリ尿素層の第二面上に１成分ポリ尿素層を提供する工程；および
２成分ポリ尿素層の第二面上に提供される１成分ポリ尿素上に層を提供する工程、
を含むポリ尿素光学構造体を形成する方法。
【請求項５９】
担体基体を除去する工程および露出した１成分ポリ尿素層上に微細構造層を形成する工程をさらに含む請求項５８記載の方法。
【請求項６０】
前記構造体を外装に接着する工程をさらに含む請求項５９記載の方法。
【請求項６１】
２成分ポリ尿素層の第二面上に提供された１成分ポリ尿素上に提供される層を除去する工程をさらに含む請求項５９記載の方法。
【請求項６２】
担体基体上に１成分ポリ尿素層を提供する工程；
１成分ポリ尿素層上に２成分ポリ尿素層を提供する工程、該２成分ポリ尿素層は２成分ポリ尿素層の第一面に沿って１成分ポリ尿素と接触している；および
２成分ポリ尿素層の第二面上に層を提供する工程、
を含むポリ尿素光学構造体を形成する方法。
【請求項６３】
１成分ポリ尿素層に接着した担体基体を除去する工程および露出した１成分ポリ尿素層上に微細構造層を形成する工程をさらに含む、請求項６２記載の方法。
【請求項６４】
２成分ポリ尿素層の第二面に接着される層上に１成分ポリ尿素層を形成する工程をさらに含む請求項６２記載の方法。
【請求項６５】
２成分ポリ尿素層の第一面に沿って微細構造層に接着した２成分ポリ尿素層を含むポリ尿素光学構造体。
【請求項６６】
２成分ポリ尿素層の第二面に接着した層をさらに含む請求項６５記載の構造体。
【請求項６７】
微細構造層および２成分ポリ尿素層間に配置された１成分ポリ尿素層をさらに含む請求項６５記載の構造体。